(57)【要約】【課題】複数の面光源をなるべく隙間無く並べて配置することを可能とし、且つ、面光源が意図せず脱落してしまう可能性を低減する。【解決手段】光源誘導装置３００は、第１縁部３１０と、第１縁部３１０に対して平行な第２縁部３２０と、第１縁部３１０と第２縁部３２０とを相互に連結する連結部３３０と、を有する。第１縁部３１０が第１縁部３１０の長手方向を回転軸として光源固定装置２００に対して軸支されるとともに、第２縁部３２０が第２縁部３２０の長手方向を回転軸として面光源１００に対して軸支されることにより、光源誘導装置３００を介して面光源１００と光源固定装置２００とが相互に連結される。第２縁部３２０が面光源１００に対して着脱可能であるか、又は、第１縁部３１０が光源固定装置２００に対して着脱可能である。【選択図】図１
2014235871.tif 000002
【特許請求の範囲】
【請求項１】
面光源を光源固定装置に固定する際に前記面光源を前記光源固定装置の予め定められた位置に誘導する光源誘導装置であって、
当該光源誘導装置は、第１縁部と、前記第１縁部に対して平行な第２縁部と、前記第１縁部と前記第２縁部とを相互に連結する連結部と、を有し、
前記第１縁部が当該第１縁部の長手方向を回転軸として前記光源固定装置に対して軸支されるとともに、前記第２縁部が当該第２縁部の長手方向を回転軸として前記面光源に対して軸支されることにより、当該光源誘導装置を介して前記面光源と前記光源固定装置とが相互に連結され、
前記第２縁部が前記面光源に対して着脱可能であるか、又は、前記第１縁部が前記光源固定装置に対して着脱可能である光源誘導装置。
【請求項２】
当該光源誘導装置は、枠形状に形成されている請求項１に記載の光源誘導装置。
【請求項３】
前記第１縁部と前記第２縁部とのうちの少なくとも何れか一方において、軸支される部分の太さは、当該軸支される部分以外の部分の太さよりも細い請求項１又は２に記載の光源誘導装置。
【請求項４】
前記第１縁部または前記第２縁部は、互いに同軸上に位置し、且つ互いに離間している２つの部分を有し、この２つの部分がそれぞれ前記面光源または前記光源固定装置に対して軸支される請求項１〜３の何れか一項に記載の光源誘導装置。
【請求項５】
面光源が固定されるベース部材と、
前記面光源を前記ベース部材に固定する際に前記面光源を前記ベース部材の予め定められた位置に誘導する光源誘導部と、
を備え、
前記光源誘導部は、第１縁部と、前記第１縁部に対して平行な第２縁部と、前記第１縁部と前記第２縁部とを相互に連結する連結部と、を有し、
前記第１縁部が当該第１縁部の長手方向を回転軸として前記ベース部材に対して軸支されるとともに、前記第２縁部が当該第２縁部の長手方向を回転軸として前記面光源に対して軸支されることにより、当該光源誘導部を介して前記面光源と前記ベース部材とが相互に連結され、
前記第２縁部が前記面光源に対して着脱可能であるか、又は、前記第１縁部が前記ベース部材に対して着脱可能である光源固定装置。
【請求項６】
前記ベース部材は、前記光源誘導部の前記第２縁部又は前記連結部を前記ベース部材に対して固定するための固定部を有する請求項５に記載の光源固定装置。
【請求項７】
前記ベース部材は、前記面光源に対して電力を供給する給電端子部を有する請求項５又は６に記載の光源固定装置。
【請求項８】
請求項５〜７の何れか一項に記載の光源固定装置に対して固定される面光源であって、
前記第２縁部を軸支する軸支部を有する面光源。
【請求項９】
前記光源固定装置から電力を受電する受電端子部を有する請求項８に記載の面光源。
【発明の詳細な説明】
【技術分野】
【０００１】
本発明は、光源誘導装置、光源固定装置および面光源に関する。
【背景技術】
【０００２】
面光源を壁や天井等に設置するための技術としては、例えば、特許文献１、２の技術がある。
【０００３】
特許文献１には、面光源を収容する筐体と、面光源に側方から係合して該面光源を着脱可能に保持する保持部材と、筐体を筐体に出し入れする方向に保持部材を揺動させる揺動機構と、を備える照明器具が記載されている。
【０００４】
特許文献２には、面光源と、面光源が装着される装着部とが、それらの一端部どうしで互いに回動可能に係合する照明装置が記載されている。面光源の一端部を装着部の一端部に係合させた状態で、面光源が装着部に重なるように面光源を回動させ、面光源の他端部を装着部の他端部に対して係合させることにより、面光源が装着部によって保持されるようになっている。面光源の他端部を装着部の他端部に対して係合させるには、面光源を装着部に対して相対的に他端側にスライドさせるか、又は、面光源の他端部を装着部側に押し込む。
【先行技術文献】
【特許文献】
【０００５】
【特許文献１】特開２００７−２５０３０３号公報
【特許文献２】特開２０１２−１９９２１９号公報
【発明の概要】
【発明が解決しようとする課題】
【０００６】
面光源を壁や天井に配置する場合、複数の面光源をなるべく隙間無く並べて配置することが望まれている。しかし、特許文献１の技術では、保持部材によって面光源を側方から保持し、且つ、揺動機構によって保持部材を揺動させるため、面光源の側方に保持部材と揺動機構の配置スペースが必要である。このため、面光源どうしの間隔が大きく空いてしまう。
【０００７】
また、特許文献２の技術では、面光源を誤って装着部に対してスライドさせるなどによって、面光源の他端部と装着部の他端部との係合が外れてしまうと、面光源が装着部から脱落してしまう可能性がある。
【０００８】
本発明が解決しようとする課題としては、複数の面光源をなるべく隙間無く並べて配置することを可能とし、且つ、面光源が意図せず脱落してしまう可能性を低減することが一例として挙げられる。
【課題を解決するための手段】
【０００９】
請求項１に記載の発明は、
面光源を光源固定装置に固定する際に前記面光源を前記光源固定装置の予め定められた位置に誘導する光源誘導装置であって、
当該光源誘導装置は、第１縁部と、前記第１縁部に対して平行な第２縁部と、前記第１縁部と前記第２縁部とを相互に連結する連結部と、を有し、
前記第１縁部が当該第１縁部の長手方向を回転軸として前記光源固定装置に対して軸支されるとともに、前記第２縁部が当該第２縁部の長手方向を回転軸として前記面光源に対して軸支されることにより、当該光源誘導装置を介して前記面光源と前記光源固定装置とが相互に連結され、
前記第２縁部が前記面光源に対して着脱可能であるか、又は、前記第１縁部が前記光源固定装置に対して着脱可能である光源誘導装置である。
【００１０】
請求項５に記載の発明は、面光源が固定されるベース部材と、
前記面光源を前記ベース部材に固定する際に前記面光源を前記ベース部材の予め定められた位置に誘導する光源誘導部と、
を備え、
前記光源誘導部は、第１縁部と、前記第１縁部に対して平行な第２縁部と、前記第１縁部と前記第２縁部とを相互に連結する連結部と、を有し、
前記第１縁部が当該第１縁部の長手方向を回転軸として前記ベース部材に対して軸支されるとともに、前記第２縁部が当該第２縁部の長手方向を回転軸として前記面光源に対して軸支されることにより、当該光源誘導部を介して前記面光源と前記ベース部材とが相互に連結され、
前記第２縁部が前記面光源に対して着脱可能であるか、又は、前記第１縁部が前記ベース部材に対して着脱可能である光源固定装置である。
【００１１】
請求項８に記載の発明は、請求項５〜７の何れか一項に記載の光源固定装置に対して固定される面光源であって、
前記第２縁部を軸支する軸支部を有する面光源である。
【図面の簡単な説明】
【００１２】
【図１】実施形態に係る発光装置の斜視図である。
【図２】実施形態に係る発光装置の斜視図である。
【図３】図３（ａ）および（ｂ）は実施形態に係る光源固定装置の斜視図である。
【図４】実施形態に係る光源誘導装置の斜視図である。
【図５】実施形態に係る発光装置の面光源の斜視図である。
【図６】図６（ａ）および（ｂ）は実施形態に係る光源固定装置のベース部材に対する光源誘導装置の取付構造の例を示す側面図である。
【図７】図７（ａ）〜（ｃ）は実施形態に係る発光装置の面光源に対する光源誘導装置の取付構造の例を示す側面図である。
【図８】実施形態に係る発光装置の面光源の発光パネルの構成の例を示す断面図である。
【図９】発光パネルの有機機能層の層構造の第１例を示す断面図である。
【図１０】発光パネルの有機機能層の層構造の第２例を示す断面図である。
【図１１】実施形態に係る発光装置の側面図である。
【図１２】図１２（ａ）は実施例１に係る光源誘導装置の斜視図、図１２（ｂ）は実施例２に係る光源誘導装置の斜視図、図１２（ｃ）は実施例３に係る光源誘導装置の斜視図である。
【図１３】実施例４に係る発光装置の面光源の斜視図である。
【図１４】実施例４に係る発光装置の面光源に光源誘導装置の連結部を固定した状態を示す断面図である。
【発明を実施するための形態】
【００１３】
以下、実施の形態について、図面を用いて説明する。尚、すべての図面において、同様の構成要素には同一の符号を付し、適宜説明を省略する。
【００１４】
図１および図２は実施形態に係る発光装置の斜視図であり、このうち図１は面光源１００がベース部材２０１から離間した状態を示し、図２は面光源１００がベース部材２０１に取り付けられた状態を示す。図３（ａ）および（ｂ）は実施形態に係る光源固定装置２００の斜視図であり、このうち図３（ａ）は光源誘導装置３００の第２縁部３２０がベース部材２０１に固定された状態を示し、図３（ｂ）は光源誘導装置３００の第２縁部３２０がベース部材２０１から離間した状態を示す。図４は実施形態に係る光源誘導装置３００の斜視図である。図５は実施形態に係る発光装置の面光源１００の斜視図である。本実施形態に係る発光装置の面光源１００は、例えば、ディスプレイ、照明装置、又は光通信装置の光源として用いることができる。
【００１５】
図１及び図２に示すように、本実施形態に係る発光装置は、面光源１００と、光源固定装置２００と、光源誘導装置３００と、を備えている。
【００１６】
図３（ａ）および（ｂ）に示すように、本実施形態に係る光源固定装置２００は、面光源１００が固定されるベース部材２０１と、面光源１００をベース部材２０１に固定する際に面光源１００をベース部材２０１の予め定められた位置に誘導する光源誘導部（光源誘導装置３００）と、を備える。光源誘導部は、第１縁部３１０と、第１縁部３１０に対して平行な第２縁部３２０と、第１縁部３１０と第２縁部３２０とを相互に連結する連結部３３０と、を有する。第１縁部３１０が第１縁部３１０の長手方向を回転軸としてベース部材２０１に対して軸支されるとともに、第２縁部３２０が第２縁部３２０の長手方向を回転軸として面光源１００に対して軸支されることにより、光源誘導部を介して面光源１００とベース部材２０１とが相互に連結される。第２縁部３２０が面光源１００に対して着脱可能であるか、又は、第１縁部３１０がベース部材２０１に対して着脱可能である。本実施形態の場合、例えば、第２縁部３２０が面光源１００に対して着脱可能である。
【００１７】
図４に示すように、本実施形態に係る光源誘導装置３００は、面光源１００を光源固定装置２００に固定する際に面光源１００を光源固定装置２００の予め定められた位置に誘導する光源誘導装置３００である。光源誘導装置３００は、第１縁部３１０と、第１縁部３１０に対して平行な第２縁部３２０と、第１縁部３１０と第２縁部３２０とを相互に連結する連結部３３０と、を有する。第１縁部３１０が第１縁部３１０の長手方向を回転軸として光源固定装置２００に対して軸支されるとともに、第２縁部３２０が第２縁部３２０の長手方向を回転軸として面光源１００に対して軸支されることにより、光源誘導装置３００を介して面光源１００と光源固定装置２００とが相互に連結される。第２縁部３２０が面光源１００に対して着脱可能であるか、又は、第１縁部３１０が光源固定装置２００に対して着脱可能である。本実施形態の場合、例えば、第２縁部３２０が面光源１００に対して着脱可能である。
【００１８】
図５に示すように、本実施形態に係る面光源１００は、本実施形態に係る光源固定装置２００に対して固定される面光源１００であって、第２縁部３２０を軸支する軸支部１７０を有する。
【００１９】
以下においては、説明を簡単にするため、発光装置の各構成要素の位置関係（上下関係等）が各図に示す関係であるものとして説明を行う場合がある。ただし、この説明における位置関係は、発光装置の使用時や製造時の位置関係とは無関係である。
【００２０】
面光源１００は、パネル状（板状）の発光パネル１０１を少なくとも備えている。一例として、発光パネル１０１の平面形状は、矩形状であることが挙げられる。ただし、発光パネル１０１の平面形状は、その他の多角形状（五角形、六角形など）でも良いし、円形、楕円形、長円形などでも良い。発光パネル１０１の一方の面である第１面１０１ａは、光を出射する発光面（光取り出し面）となっている。発光パネル１０１の他方の面である第２面１０１ｂ（図５）は、光を出射しない非発光面となっている。発光パネル１０１は、第２面１０１ｂが光源固定装置２００のベース部材２０１（後述）側を向くように配置される。
【００２１】
発光パネル１０１の第２面１０１ｂには、光源誘導装置３００の第２縁部３２０を軸支するための軸支部１７０が形成されている。例えば、一対の軸支部１７０が第２面１０１ｂに形成されている。ただし、軸支部１７０の数は、１つでも良いし、３つ以上であっても良い。複数の軸支部１７０を第２面１０１ｂに設ける場合、これら軸支部１７０は互いに同軸上に配置する。軸支部１７０によって光源誘導装置３００の第２縁部３２０が軸支される（軸受けされる）ことにより、光源誘導装置３００は、第２縁部３２０の長手方向を回転軸として発光パネル１０１に対して回動可能となる。なお、軸支部１７０に対して第２縁部３２０が着脱可能となるように、軸支部１７０は形成されている（詳細後述）。
【００２２】
光源誘導装置３００は、上記のように、互いに平行な第１縁部３１０および第２縁部３２０と、第１縁部３１０と第２縁部３２０とを相互に連結する連結部３３０と、を有する。第１縁部３１０および第２縁部３２０は、例えばそれぞれ棒状のものである。より具体的には、第１縁部３１０および第２縁部３２０は、例えば、断面が円形の丸棒状に形成されている。
【００２３】
また、光源誘導装置３００は、例えば、一対の連結部３３０を有している。このうち一方の連結部３３０は、第１縁部３１０の一端部と第２縁部３２０の一端部とを相互に連結し、他方の連結部３３０は、第１縁部３１０の他端部と第２縁部３２０の他端部とを相互に連結している。例えば、連結部３３０も棒状のもの（より具体的には例えば断面が円形の丸棒状のもの）である。一対の連結部３３０は、例えば、互いに平行に配置されている。このため、例えば、光源誘導部材３００は、矩形状の枠形状に形成されている。
【００２４】
第２縁部３２０の一部分は、面光源１００の軸支部１７０によって軸支される被軸支部３２１となっている。被軸支部３２１は、第２縁部３２０における他の部分よりも細く形成されている。すなわち、第２縁部３２０において、面光源１００に軸支される部分（被軸支部３２１）の太さは、当該軸支される部分（被軸支部３２１）以外の部分の太さよりも細い。これにより、図１に示すように被軸支部３２１が軸支部１７０によって軸支された状態で、第２縁部３２０の長手方向において第２縁部３２０が軸支部１７０に対して相対的に位置決めされるようになっている。
【００２５】
光源固定装置２００は、板状のベース部材２０１を備えている。ベース部材２０１の一方の面は第１面２０１ａである。面光源１００は、ベース部材２０１の第１面２０１ａ側に取り付けられる。ベース部材２０１の他方の面である第２面２０１ｂ（図１１）は、天井面や壁面などに固定される面である。
【００２６】
なお、面光源１００がベース部材２０１に取り付けられた状態で面光源１００の面直方向に発光装置を見たときに、面光源１００の外形線、すなわち発光パネル１０１の外形線から、ベース部材２０１がはみ出さないように、ベース部材２０１の寸法が設定されていることが好ましい。本実施形態の場合、例えば、面光源１００がベース部材２０１に取り付けられた状態で面光源１００の面直方向に発光装置を見たときに、面光源１００の外形線（発光パネル１０１の外形線）と、光源固定装置２００の外形線（ベース部材２０１の外形線）とが一致するようになっている。したがって、本実施形態の場合、ベース部材２０１の平面形状は、例えば、矩形状である。
【００２７】
ベース部材２０１の第１面２０１ａには、軸支部２１０が設けられ、この軸支部２１０によって、光源誘導装置３００の第１縁部３１０が軸支されている。軸支部２１０の数は任意であるが、本実施形態の場合、例えば、軸支部２１０の数は２つである。複数の軸支部２１０を第１面２０１ａに設ける場合、これら軸支部２１０は互いに同軸上に配置する。軸支部２１０によって光源誘導装置３００の第１縁部３１０が軸支される（軸受けされる）ことにより、光源誘導装置３００は、第１縁部３１０の長手方向を回転軸としてベース部材２０１に対して回動可能となる。
例えば、軸支部２１０を２つ設け、そのうち一方の軸支部２１０により第１縁部３１０の一端部を軸支し、他方の軸支部２１０により第１縁部３１０の他端部を軸支することが好ましい。これにより、図３に示すように第１縁部３１０が２つの軸支部２１０によって軸支された状態で、第１縁部３１０が、第１縁部３１０の長手方向において、軸支部２１０に対して相対的に位置決めされるようになっている。
なお、軸支部２１０に対して第１縁部３１０が着脱可能となるように軸支部２１０が形成されていても良いし、軸支部２１０から第１縁部３１０が脱落しないように軸支部２１０が形成されていても良い（詳細後述）。
【００２８】
更に、ベース部材２０１は、光源誘導装置（光源誘導部）３００の第２縁部３２０又は連結部３３０をベース部材２０１に対して固定するための固定部２２０を有している。この固定部２２０は、ベース部材２０１の第１面２０１ａに設けられている。固定部２２０は、例えば、直方体形状などに形成されており、固定部２２０における面光源１００側の面には、固定溝２２１が形成されている。固定溝２２１は、断面Ｕ字形状などに形成されている。固定溝２２１内に第２縁部３２０の一部分又は連結部３３０の一部分が押し込まれることにより、固定部２２０に当該一部分が固定されるようになっている。本実施形態の場合、固定部２２０は、例えば、第２縁部３２０の一部分を固定する。
【００２９】
面光源１００をベース部材２０１に取り付けた状態では、光源誘導装置３００がベース部材２０１の第１面２０１ａに沿って配置される。このとき、図３（ａ）に示すように第２縁部３２０が固定部２２０に固定されることによって、第２縁部３２０がベース部材２０１に固定される。よって、面光源１００を光源固定装置２００に設置した状態で、光源誘導装置３００が光源固定装置２００に対して回動してしまうことが抑制されるため、面光源１００を安定的に設置状態に維持させることができる。つまり、第２縁部３２０が固定部２２０に固定されることにより、面光源１００がベース部材２０１から離間する方向へ移動してしまうことを、ある程度の力で規制できるようになっている。なお、第２縁部３２０が固定部２２０から外れる程度の大きさの力で、面光源１００をベース部材２０１から離間する方向へ引っ張ることにより、面光源１００をベース部材２０１から離間させることができるようになっている。
【００３０】
図６（ａ）および（ｂ）は、実施形態に係る光源固定装置２００のベース部材２０１に対する光源誘導装置３００の取付構造の例を示す側面図である。
【００３１】
図６（ａ）および（ｂ）に示すように、軸支部２１０は、例えば、半筒状ないしはアーチ状に形成されている。
図６（ａ）に示す第１例では、軸支部２１０にはスリット２１１（図６（ｂ））が形成されておらず、第１縁部３１０は軸支部２１０から脱落しないようになっている。
一方、図６（ｂ）に示す第２例では、軸支部２１０には、第１縁部３１０を軸支部２１０に着脱するためのスリット２１１が形成されている。スリット２１１を通して第１縁部３１０を軸支部２１０内に押し込むことにより、第１縁部３１０を軸支部２１０に取り付けることができる。また、第１縁部３１０を軸支部２１０から外れる方向へ強く引っ張ることにより、スリット２１１を通して第１縁部３１０を軸支部２１０から外すことができる。
【００３２】
図７（ａ）〜（ｃ）は実施形態に係る発光装置の面光源１００に対する光源誘導装置３００の取付構造の例を示す側面図である。
【００３３】
図７（ａ）〜（ｃ）に示すように、軸支部１７０は、例えば、半筒状ないしはアーチ状に形成されている。
図７（ａ）に示す第１例、図７（ｂ）に示す第２例、図７（ｃ）に示す第３例の何れの場合も、第２縁部３２０を軸支部１７０に着脱するためのスリット１７１が形成されている。スリット１７１を通して第２縁部３２０を軸支部１７０内に押し込むことにより、第２縁部３２０を軸支部１７０に取り付けることができる。また、第２縁部３２０を軸支部１７０から外れる方向へ強く引っ張ることにより、スリット１７１を通して第２縁部３２０を軸支部１７０から外すことができる。
スリット１７１は、軸支部１７０の周方向における一端部（図７（ａ）、（ｂ））に配置しても良いし、中央部（図７（ｃ））に配置しても良い。
ここで、図７（ａ）〜（ｃ）にそれぞれ一部分を示す光源誘導装置３００は、図１の状態での姿勢を示しているものとする。スリット１７１を軸支部１７０の周方向における一端部に配置する場合、軸支部１７０は、図７（ａ）に示すように第２縁部３２０をスリット１７１側で保持しても良いし、図７（ｂ）に示すように第２縁部３２０をスリット１７１側とは反対側で保持しても良い。
【００３４】
次に、面光源１００の発光パネル１０１の構成について説明する。図８は実施形態に係る発光装置の面光源１００の発光パネル１０１の構成の例を示す断面図である。
【００３５】
発光パネル１０１は、発光素子１０２と、この発光素子１０２が一方の面に設けられた固定板１６０と、を備えている。
【００３６】
発光素子１０２は、例えば、有機ＥＬ（Ｅｌｅｃｔｒｏ  Ｌｕｍｉｎｅｓｃｅｎｃｅ）素子であることが挙げられる。ただし、発光素子１０２は、有機ＥＬ素子に限らない。発光素子１０２は、例えば、ＬＥＤ（Ｌｉｇｈｔ  Ｅｍｉｔｔｉｎｇ  Ｄｉｏｄｅ）と導光板とを組み合わせて構成されていても良いし、複数のＬＥＤをアレイ状に配列することにより構成されていても良い。また、発光素子１０２は、無機ＥＬ素子であっても良い。発光素子１０２の一方の面（図８の上面）は、発光パネル１０１の第１面１０１ａを構成している。第１面１０１ａは、光を放射する発光面となっている。
【００３７】
発光パネル１０１は、発光素子１０２を発光させる制御を行う電子回路を含んで構成されていても良いし、電子回路は、発光パネル１０１とは別体となっていても良い。
【００３８】
図８には、発光素子１０２が有機ＥＬ素子である場合の構成例を示している。この場合、発光素子１０２は、例えば、透光性基板１１０と、透光性の第１電極１３０と、有機機能層１４０と、第２電極１５０と、を有する。第１電極１３０は、透光性基板１１０の一方の面側（図８において下側）に配置されている。有機機能層１４０は、第１電極１３０を基準として透光性基板１１０とは反対側（図８において下側）に配置されている。第２電極１５０は、有機機能層１４０を基準として第１電極１３０とは反対側（図８において下側）に配置されている。なお、透光性基板１１０と第１電極１３０とは相互に接していても良いし、それらの間に他の層が存在していても良い。同様に、第１電極１３０と有機機能層１４０とは相互に接していても良いし、それらの間に他の層が存在していても良い。同様に、有機機能層１４０と第２電極１５０とは相互に接していても良いし、それらの間に他の層が存在していても良い。また、第２電極１５０の下面には必要に応じて封止層を形成しても良い。
【００３９】
透光性基板１１０は、ガラスや樹脂などの透光性を有する材料からなる板状部材である。例えば、透光性基板１１０の上面、すなわち透光性基板１１０における有機機能層１４０とは反対側の面は、平坦な光取り出し面（上記の第１面１０１ａ）となっている。この光取り出し面は、光放出空間を充たす空気（屈折率１）と接している。なお、透光性基板１１０の上面には、光拡散フィルムなどの光取り出しフィルムが貼り付けられており、この光取り出しフィルムの上面が光取り出し面（上記の第１面１０１ａ）を構成していても良い。
【００４０】
第１電極１３０は、例えばＩＴＯ（Ｉｎｄｉｕｍ  Ｔｉｎ  Ｏｘｉｄｅ）やＩＺＯ（Ｉｎｄｉｕｍ  Ｚｉｎｃ  Ｏｘｉｄｅ）などの金属酸化物導電体からなる透明電極とすることができる。ただし、第１電極１３０は、光が透過する程度に薄い金属薄膜であっても良い。有機機能層１４０は、少なくとも発光層を含んで構成されている。第２電極１５０は、例えば、ＡｌやＡｇなどの金属膜からなる反射電極である。第２電極１５０は、有機機能層１４０から第２電極１５０側に向かう光を、透光性基板１１０側に向けて反射する。
【００４１】
第１電極１３０と第２電極１５０との間に電圧が印加されることにより、有機機能層１４０の発光層が発光する。透光性基板１１０、第１電極１３０及び有機機能層１４０は、いずれも、有機機能層１４０の発光層が発光した光の少なくとも一部を透過する。発光層が発光した光の一部は、透光性基板１１０の光取り出し面から、発光パネル１０１の外部（つまり上記光放出空間）に放射される（取り出される）。
【００４２】
図示しない接続導体を介して、第１電極１３０には受電端子部１９１が電気的に接続されている。同様に、図示しない接続導体を介して、第２電極１５０には受電端子部１９２が電気的に接続されている。このため、発光パネル１０１をベース部材２０１の第１面２０１ａに重ねて配置することにより、外部電源から発光素子１０２に電力を供給し、発光素子１０２を発光させることができる。
【００４３】
以下、有機機能層１４０の層構造のより具体的な例を説明する。
【００４４】
図９は有機機能層１４０の層構造の第１例を示す断面図である。この有機機能層１４０は、正孔注入層１４１、正孔輸送層１４２、発光層１４３、電子輸送層１４４、及び電子注入層１４５をこの順に積層した構造を有している。すなわち有機機能層１４０は、有機エレクトロルミネッセンス発光層である。なお、正孔注入層１４１及び正孔輸送層１４２の代わりに、これら２つの層の機能を有する一つの層を設けてもよい。同様に、電子輸送層１４４及び電子注入層１４５の代わりに、これら２つの層の機能を有する一つの層を設けてもよい。
【００４５】
発光層１４３は、例えば赤色の光を発光する層、青色の光を発光する層、又は緑色の光を発光する層である。この場合、平面視において、赤色の光を発光する発光層１４３を有する領域、緑色の光を発光する発光層１４３を有する領域、及び青色の光を発光する発光層１４３を有する領域が繰り返し設けられていても良い。この場合、各領域を同時に発光させると、発光装置は白色等の単一の発光色で発光する。
【００４６】
なお、発光層１４３は、複数の色を発光するための材料を混ぜることにより、白色等の単一の発光色で発光するように構成されていても良い。
【００４７】
図１０は有機機能層１４０の層構造の第２例を示す断面図である。この有機機能層１４０の発光層１４３は、発光層１４３ａ、１４３ｂ、１４３ｃをこの順に積層した構成を有している。発光層１４３ａ、１４３ｂ、１４３ｃは、互いに異なる色の光（例えば赤、緑、及び青）を発光する。そして発光層１４３ａ、１４３ｂ、１４３ｃが同時に発光することにより、発光装置は白色等の単一の発光色で発光する。
【００４８】
図１１は実施形態に係る発光装置の側面図であり、面光源１００がベース部材２０１に取り付けられた状態を示す。他の図では図示を省略しているが、光源固定装置２００のベース部材２０１は、面光源１００に対して電力を供給する給電端子部２９１、２９２を有している。給電端子部２９１、２９２は、第１面２０１ａに設けられている。面光源１００は、光源固定装置２００のベース部材２０１から電力を受電する受電端子部１９１、１９２を有している。受電端子部１９１、１９２は、第２面１０１ｂに設けられている。図１１に示すように、発光パネル１０１をベース部材２０１の第１面２０１ａに重ねて配置することにより、給電端子部２９１と受電端子部１９１とが相互に接触して電気的に接続されるとともに、給電端子部２９２と受電端子部１９２とが相互に接触して電気的に接続されるようになっている。
【００４９】
給電端子部２９１、２９２には、図示しない外部電源からの電力が供給されるようになっている。一方、受電端子部１９１は、図示しない接続導体を介して、第１電極１３０へ電気的に接続されている。同様に、受電端子部１９２は、図示しない接続導体を介して、第２電極１５０へ電気的に接続されている。このため、発光パネル１０１をベース部材２０１の第１面２０１ａに重ねて配置することにより、外部電源から発光素子１０２に電力を供給し、発光素子１０２を発光させることができる。なお、ここでは、面光源１００の受電端子部、およびベース部材２０１の給電端子部の数が２つずつの例を示すが、受電端子部および給電端子部の数は３つずつ以上であっても良い。
【００５０】
次に、動作を説明する。
【００５１】
先ず、面光源１００を光源固定装置２００に取り付ける動作を説明する。なお、光源固定装置２００のベース部材２０１には光源誘導装置３００が予め連結されているものとする。また、複数の面光源１００が互いにほぼ隙間無くタイリングされているものとする。そして、隣接する４つの面光源１００により囲まれた位置に、面光源１００を取り付けるものとする。
【００５２】
面光源１００を光源固定装置２００に取り付けるには、先ず、面光源１００の軸支部１７０に光源誘導装置３００の第２縁部３２０を取り付ける。これにより、光源誘導装置３００を介して面光源１００をベース部材２０１に連結する（図１の状態）。
【００５３】
このとき、ベース部材２０１から離間した位置で面光源１００を第２縁部３２０に連結する作業を行うことができるため、新たに取り付けられる面光源１００がその周囲の面光源１００に対して干渉しない。
【００５４】
次に、面光源１００をベース部材２０１側（図１に示す矢印の方向）へ移動させる。このとき、光源誘導装置３００は、第１縁部３１０を回転中心としてベース部材２０１に対して揺動し、ベース部材２０１側に倒れる。ここで、光源誘導装置３００は、第１縁部３１０を回転軸としてベース部材２０１に対して揺動するとともに、第２縁部３２０を回転中心として面光源１００に対して揺動する。これにより、面光源１００は、光源誘導装置３００の揺動に伴い、ベース部材２０１の第１面２０１ａ上における所定の位置へ誘導される。
【００５５】
このとき、光源誘導装置３００は、第１縁部３１０を回転軸としてベース部材２０１に対して揺動するだけでなく、第２縁部３２０を回転中心として面光源１００に対しても揺動する。このため、例えば面光源１００をベース部材２０１に対してほぼ平行に維持したまま、面光源１００をベース部材２０１に近づけることができる。よって、新たに取り付けられる面光源１００と、それに隣接する面光源１００とのクリアランスが極めて小さい場合にも、新たに取り付けられる面光源１００とそれに隣接する面光源１００とが干渉することなく、新たに取り付けられる面光源１００をベース部材２０１に取り付けることができる。
特に、面光源１００がベース部材２０１に近接した状態では、面光源１００を実質的に該面光源１００の面直方向へ移動させることにより、面光源１００をベース部材２０１に近づけることができる。よって、新たに取り付けられる面光源１００と、それに隣接する面光源１００とのクリアランスが極めて小さい場合にも、新たに取り付けられる面光源１００とそれに隣接する面光源１００とが干渉することなく、新たに取り付けられる面光源１００をベース部材２０１に取り付けることができる。その結果、互いに隣接して配置される面光源１００どうしクリアランスを極めて小さくすることができる。
【００５６】
更に、固定部２２０の固定溝２２１内に第２縁部３２０の一部分を押し込んで固定する。これにより、面光源１００を光源固定装置２００に取り付けることができる。この状態では、第２縁部３２０がベース部材２０１に固定されているため、光源誘導装置３００が光源固定装置２００に対して回動してしまうことが抑制されるので、面光源１００がベース部材２０１から離間してしまうことが抑制される。つまり、面光源１００とベース部材２０１とが相互に機械的に固定されたことになる。よって、面光源１００を安定的に設置状態に維持させることができる。
【００５７】
また、このとき、図１１に示すように、受電端子部１９１が給電端子部２９１に対して接触して受電端子部１９１と給電端子部２９１とが相互に電気的に接続されるとともに、受電端子部１９２が給電端子部２９２に対して接触して受電端子部１９２と給電端子部２９２とが相互に電気的に接続される。よって、給電端子部２９１、２９２から受電端子部１９１、１９２に対して外部電源からの電力が供給される状態となる。これにより、面光源１００の発光素子１０２は、外部電源から供給される電力によって発光する。
【００５８】
このように、光源誘導装置３００による誘導に従いつつ面光源１００をベース部材２０１側に押し込むだけで、面光源１００をベース部材２０１上の所定の設置位置へ誘導できるとともに、面光源１００とベース部材２０１とを相互に機械的及び電気的に接続することができる。このため、面光源１００の背面側（ベース部材２０１側）とベース部材２０１との接続（機械的及び電気的接続）に配慮する必要が無い。
【００５９】
なお、面光源１００が光源固定装置２００に取り付けられた状態で、面光源１００の面直方向に発光装置を見たときに、光源誘導装置３００が面光源１００の外形線（発光パネル１０１の外形線）からはみ出さないように、光源誘導装置３００の配置および寸法が設定されている。
【００６０】
また、面光源１００の発光素子１０２が劣化するなどにより、面光源１００を交換する必要が生じた場合、以下のような動作を行うことによって、面光源１００を光源固定装置２００から取り外す。
【００６１】
例えば、先ず、第１面１０１ａを吸盤等で吸着保持し、面光源１００をベース部材２０１から離間する方向に引っ張る。これにより、固定部２２０の固定溝２２１から第２縁部３２０が外れて、面光源１００がベース部材２０１から離間する。このとき、光源誘導装置３００は、第１縁部３１０を揺動の中心として揺動し、ベース部材２０１から起立する。
【００６２】
このときも、例えば面光源１００をベース部材２０１に対してほぼ平行に維持したまま、面光源１００をベース部材２０１から離間させることができる。よって、交換対象の面光源１００と、それに隣接する面光源１００とのクリアランスが極めて小さい場合にも、交換対象の面光源１００とそれに隣接する面光源１００とが干渉することなく、交換対象の面光源１００をベース部材２０１から離間させることができる。
特に、面光源１００がベース部材２０１に近い状態では、面光源１００を実質的に該面光源１００の面直方向へ移動させることにより、面光源１００をベース部材２０１から離間させることができる。よって、交換対象の面光源１００と、それに隣接する面光源１００とのクリアランスが極めて小さく、交換対象の面光源１００がその面方向には殆ど移動できない場合でも、交換対象の面光源１００とそれに隣接する面光源１００とが干渉することなく、交換対象の面光源１００をベース部材２０１から離間させることができる。
【００６３】
なお、面光源１００を取り外す際に面光源１００をベース部材２０１から離間させた状態でも、面光源１００は光源誘導装置３００を介してベース部材２０１に対して連結されているので（図１参照）、直ちに面光源１００がベース部材２０１から外れる訳ではない。このため、設置状態の面光源１００に対して何らかの外力が作用することなどにより、面光源１００がベース部材２０１から離間してしまった場合でも、面光源１００がベース部材２０１から分離し脱落してしまう可能性は低い。
【００６４】
次に、面光源１００の軸支部１７０から光源誘導装置３００の第２縁部３２０を取り外す。これにより、交換対象の面光源１００をベース部材２０１から分離させることができる。この作業も、交換対象の面光源１００がベース部材２０１から離間した状態で行うことができるため、交換対象の面光源１００が、その周囲の面光源１００に対して干渉しないようにすることができる。
【００６５】
その後、上記と同様の作業により、新しい面光源１００を光源固定装置２００に設置する。
【００６６】
以上、本実施形態によれば、光源誘導装置３００は、面光源１００を光源固定装置２００（ベース部材２０１）に固定する際に面光源１００を光源固定装置２００の予め定められた位置に誘導する光源誘導装置３００である。光源誘導装置３００は、第１縁部３１０と、第１縁部３１０に対して平行な第２縁部３２０と、第１縁部３１０と第２縁部３２０とを相互に連結する連結部３３０と、を有する。第１縁部３１０が第１縁部３１０の長手方向を回転軸として光源固定装置２００（ベース部材２０１）に対して軸支されるとともに、第２縁部３２０が第２縁部３２０の長手方向を回転軸として面光源１００に対して軸支されることにより、光源誘導装置３００を介して面光源１００と光源固定装置２００（ベース部材２０１）とが相互に連結される。第２縁部３２０が面光源１００に対して着脱可能であるか、又は、第１縁部３１０が光源固定装置２００（ベース部材２０１）に対して着脱可能である。
【００６７】
よって、面光源１００を光源誘導装置３００を介して光源固定装置２００（ベース部材２０１）に連結し、面光源１００を光源固定装置２００（ベース部材２０１）側へ移動させることにより、面光源１００を容易に光源固定装置２００（ベース部材２０１）に取り付けることができる。
面光源１００を光源固定装置２００（ベース部材２０１）側へ移動させる際は、光源誘導装置３００がその第１縁部３１０を回転の中心として光源固定装置２００（ベース部材２０１）に対して揺動し、面光源１００は光源誘導装置３００によって光源固定装置２００（ベース部材２０１）の所定の設置位置へ誘導される。よって、面光源１００の位置合わせに配慮しなくても、容易に面光源１００を所定の設置位置へ配置することができる。
【００６８】
また、光源誘導装置３００は、面光源１００における光源固定装置２００（ベース部材２０１）側の面である第２面１０１ｂと、光源固定装置２００（ベース部材２０１）における面光源１００側の面である第１面２０１ａとを相互に連結するため、面光源１００の面方向における発光装置の寸法を抑制することができる。よって、複数の面光源１００をなるべく隙間無く並べて配置することが可能である。例えば、面光源１００の面直方向に発光装置を見たときに、光源誘導装置３００が面光源１００からはみ出さないように光源誘導装置３００を配置することができるため、隣接する面光源１００とのクリアランスを極めて小さくすることができる。面光源１００をタイリングした場合に、隣り合う面光源１００どうしの隙間が広い、すなわち額縁幅が広くなると、格子状の非発光部分が目立つことになり、美観を損ねてしまう。これに対し、本実施形態では、複数の面光源１００をなるべく隙間無く並べて配置することが可能であるため、複数の面光源１００をタイリングしたときの美観を優れたものとすることができる。
【００６９】
また、光源誘導装置３００は、互いに平行な２つの軸（第１縁部３１０および第２縁部３２０）を回転軸として回動する。このため、面光源１００を光源固定装置２００（ベース部材２０１）に対してほぼ平行に維持したまま、面光源１００を光源固定装置２００（ベース部材２０１）に近づけたり光源固定装置２００（ベース部材２０１）から遠ざけたりすることができる。特に、面光源１００が光源固定装置２００（ベース部材２０１）に近接した状態では、面光源１００を実質的に該面光源１００の面直方向へ移動させることにより、面光源１００を光源固定装置２００（ベース部材２０１）に近づけたり光源固定装置２００（ベース部材２０１）から遠ざけたりすることができる。よって、取り付け又は交換の対象となる面光源１００と、それに隣接する面光源１００とのクリアランスが極めて小さい場合にも、取り付け又は交換の対象となる面光源１００とそれに隣接する面光源１００とが干渉することなく、取り付け又は交換の対象となる面光源１００を光源固定装置２００（ベース部材２０１）に近づけたり光源固定装置２００（ベース部材２０１）から遠ざけたりすることができる。その結果、互いに隣接して配置される面光源１００どうしのクリアランスを極めて小さくすることができる。
【００７０】
また、面光源１００を取り外す際に面光源１００を光源固定装置２００（ベース部材２０１）から離間させた状態でも、面光源１００は光源誘導装置３００を介して光源固定装置２００（ベース部材２０１）に対して連結されているので、直ちに面光源１００が光源固定装置２００（ベース部材２０１）から外れる訳ではない。このため、面光源１００が意図せず脱落してしまう可能性を低減することができる。
【００７１】
また、光源誘導装置３００は、枠形状に形成されているので、簡易な構成の光源誘導装置３００によって、面光源１００と光源固定装置２００（ベース部材２０１）とを相互に連結し、該光源誘導装置３００によって面光源１００を光源固定装置２００（ベース部材２０１）の所定の設置位置へ誘導することができる。
【００７２】
また、第２縁部３２０において、面光源１００に軸支される部分（被軸支部３２１）の太さは、当該軸支される部分（被軸支部３２１）以外の部分の太さよりも細いので、被軸支部３２１が軸支部１７０によって軸支された状態で、第２縁部３２０の長手方向において第２縁部３２０が軸支部１７０に対して相対的に位置決めされる。よって、光源誘導装置３００のがたつきが抑制される。
【００７３】
また、ベース部材２０１は、光源誘導装置（光源誘導部）３００の第２縁部３２０又は連結部３３０をベース部材２０１に対して固定するための固定部２２０を有している。よって、面光源１００を光源固定装置２００に設置した状態で、光源誘導装置３００が光源固定装置２００に対して回動してしまうことが抑制されるため、面光源１００を安定的に設置状態に維持させることができる。
【００７４】
また、ベース部材２０１は、面光源１００に対して電力を供給する給電端子部２９１、２９２を有するので、ベース部材２０１から面光源１００へ電力を供給することができる。
【００７５】
また、面光源１００は、光源固定装置２００から電力を受電する受電端子部１９１、１９２を有するので、面光源１００は光源固定装置２００から供給される電力を受電することができる。
【００７６】
また、本実施形態に係る光源固定装置２００は、面光源１００が固定されるベース部材２０１と、面光源１００をベース部材２０１に固定する際に面光源１００をベース部材２０１の予め定められた位置に誘導する光源誘導部（光源誘導装置３００）と、を備える。光源誘導部は、第１縁部３１０と、第１縁部３１０に対して平行な第２縁部３２０と、第１縁部３１０と第２縁部３２０とを相互に連結する連結部３３０と、を有する。第１縁部３１０が第１縁部３１０の長手方向を回転軸としてベース部材２０１に対して軸支されるとともに、第２縁部３２０が第２縁部３２０の長手方向を回転軸として面光源１００に対して軸支されることにより、光源誘導部を介して面光源１００とベース部材２０１とが相互に連結される。第２縁部３２０が面光源１００に対して着脱可能であるか、又は、第１縁部３１０がベース部材２０１に対して着脱可能である。
よって、本実施形態に係る光源固定装置２００によれば、本実施形態に係る光源誘導装置３００により得られる効果と同様の効果が得られる。
【実施例】
【００７７】
（実施例１）
図１２（ａ）は実施例１に係る光源誘導装置３００の斜視図である。本実施例に係る光源誘導装置３００は、以下に説明する点で上記の実施形態に係る光源誘導装置３００と相違し、その他の点では実施形態に係る光源誘導装置３００と同様に構成されている。
【００７８】
上記の実施形態では、第１縁部３１０が連続的な一本の棒状の部分からなる。これに対し、本実施例の場合。第１縁部３１０は、互いに同軸上に位置し、且つ互いに離間している２つの部分３１１を有している。そして、この２つの部分３１１がそれぞれ光源固定装置２００の軸支部２１０に対して軸支されるようになっている。例えば、２つの部分３１１が互いに遠ざかる方向に光源誘導装置３００を撓ませた後、光源誘導装置３００を弾性復帰させて２つの部分３１１を互いに近づけることにより、２つの部分３１１を容易に軸支部２１０に軸支させることができる。
【００７９】
その他、本実施例によっても、上記の実施形態と同様の効果が得られる。
【００８０】
（実施例２）
図１２（ｂ）は実施例２に係る光源誘導装置の斜視図である。本実施例に係る光源誘導装置３００は、以下に説明する点で上記の実施例１に係る光源誘導装置３００と相違し、その他の点では実施例１に係る光源誘導装置３００と同様に構成されている。
【００８１】
上記の実施例１では、２つの部分３１１の先端どうしが互いに相対する向きに、２つの部分３１１が配置されている。これに対し、本実施例の場合、２つの部分３１１の先端どうしが互いの方向とは逆方向を向くように、２つの部分３１１が配置されている。
【００８２】
本実施例の場合、例えば、２つの部分３１１が互いに近づく方向に光源誘導装置３００を撓ませた後、光源誘導装置３００を弾性復帰させて２つの部分３１１を互いに遠ざけることにより、２つの部分３１１を容易に軸支部２１０に軸支させることができる。
【００８３】
その他、本実施例によっても、上記の実施形態と同様の効果が得られる。
【００８４】
（実施例３）
図１２（ｃ）は実施例３に係る光源誘導装置の斜視図である。本実施例に係る光源誘導装置３００は、以下に説明する点で上記の実施例２に係る光源誘導装置３００と相違し、その他の点では実施例２に係る光源誘導装置３００と同様に構成されている。
【００８５】
上記の実施例２では、一対の連結部３３０が互いに平行に配置されている。これに対し、本実施例の場合、第１縁部３１０側から第２縁部３２０側に向けて、一対の連結部３３０どうしの距離が広がるように、一対の連結部３３０が配置されている。つまり、距離Ｌ１よりも距離Ｌ２が広くなっている。これにより、実施例２と比べて、第２縁部３２０の２つの部分３１１の先端どうしの距離を短くすることができる。
【００８６】
その他、本実施例によっても、上記の実施形態と同様の効果が得られる。
【００８７】
（実施例４）
図１３は実施例４に係る発光装置の面光源１００の斜視図である。図１４は実施例４に係る発光装置の面光源１００に光源誘導装置３００の連結部３３０を固定した状態を示す断面図（図１３のＡ−Ａ線に沿った断面図）である。本実施例に係る面光源１００は、以下に説明する点で上記の実施形態に係る面光源１００と相違し、その他の点では実施形態に係る面光源１００と同様に構成されている。
【００８８】
本実施例の場合、面光源１００は、面光源１００に対して光源誘導装置（光源誘導部）３００の連結部３３０又は第１縁部３１０を固定するための固定部１８０を有する。固定部１８０は、面光源１００の第２面１０１ｂより光源固定装置２００側に向けて立設されている。固定部１８０は、例えば、図１４に示すように断面Ｌ字状に形成されており、その先端部には、連結部３３０又は第１縁部３１０の一部分（例えば連結部３３０の一部分）を係止する係止部１８１が形成されている。例えば、一対の固定部１８０が面光源１００に設けられており、これら固定部１８０によって、一対の連結部３３０のうちの一方ずつをそれぞれ固定できるようになっている。
【００８９】
面光源１００をベース部材２０１に取り付けることにより、光源誘導装置３００が面光源１００の第２面１０１ｂに沿って配置される。この際に、面光源１００をベース部材２０１に押し込むことにより、図１４に示すように連結部３３０が係止部１８１に係止される。これにより、連結部３３０が面光源１００に固定される。よって、面光源１００を光源固定装置２００に設置した状態で、光源誘導装置３００が面光源１００に対して回動してしまうことが抑制されるため、上記の実施形態よりも更に、面光源１００を安定的に設置状態に維持させることができる。
【００９０】
以上、図面を参照して実施形態及び実施例について述べたが、これらは本発明の例示であり、上記以外の様々な構成を採用することもできる。
【００９１】
例えば、面光源１００の第２面１０１ｂとベース部材２０１の第１面２０１ａとのうちの何れか一方に、係合爪を形成し、何れか他方に、この係合爪が係合する係合凹部を形成し、面光源１００がベース部材２０１に取り付けられた状態で、係合爪が係合凹部に係合することによって、面光源１００とベース部材２０１とが機械的に固定されるようにしても良い。
【００９２】
また、上記においては、第２縁部３２０において、面光源１００に軸支される部分（被軸支部３２１）の太さが、当該軸支される部分（被軸支部３２１）以外の部分の太さよりも細い例を説明したが、第１縁部３１０において、光源固定装置２００のベース部材２０１に軸支される部分の太さが、当該軸支される部分以外の部分の太さよりも細くなっていても良い。
【００９３】
また、上記の実施例１〜３では、第１縁部３１０ではなく第２縁部３２０が２つの部分を有していて、この２つの部分がそれぞれ面光源１００の軸支部１７０に対して軸支されるようになっていても良い。
【符号の説明】
【００９４】
１００ 面光源
１７０ 軸支部
１９１、１９２ 受電端子部
２００ 光源固定装置
２２０ 固定部
２９１、２９２ 給電端子部
３００  光源誘導装置（光源誘導部）
３１０ 第１縁部
３２０ 第２縁部
３２１ 被軸支部
３３０ 連結部
３１１ ２つの部分
【図１】
2014235871.tif 000003
【図２】
2014235871.tif 000004
【図３】
2014235871.tif 000005
【図４】
2014235871.tif 000006
【図５】
2014235871.tif 000007
【図６】
2014235871.tif 000008
【図７】
2014235871.tif 000009
【図８】
2014235871.tif 000010
【図９】
2014235871.tif 000011
【図１０】
2014235871.tif 000012
【図１１】
2014235871.tif 000013
【図１２】
2014235871.tif 000014
【図１３】
2014235871.tif 000015
【図１４】
2014235871.tif 000016